(57)【要約】【課題】  繰出し機構を持ったカートリッジ体と袴部材と蓋とから構成される化粧品収納容器において、カートリッジ体と袴部材のセット加重が軽めに設定されていても分解という事故を起こしにくい化粧品収納容器を提供する。【解決手段】  カートリッジ体と袴部材のセット時には内筒部材の係止部は  袴部材の底部に形成された内筒部材の係止部がたわむことを阻止するたわみ阻止部を押し下げてたわませ、セット後には元に復帰したたわみ阻止部の作用によって内筒部材の係止部のたわみが阻止されることで分解防止とした。【選択図】図１
2009056195.tif 000002
【特許請求の範囲】
【請求項１】
筒状の外筒部材、この外筒部材に回転可能ではあるが抜け出し不能に係止され外筒部材の下端部より係止部が形成された下筒が突出する内筒部材、この外筒部材と内筒部材を回動させることによって収納された口紅などの棒状化粧品を外筒部材の上端部より出没可能な繰出し機構より構成されるカートリッジ体と、上部に蓋嵌合部が形成され内部にカートリッジ体の係止部を係止する袴部材と、前記袴部材の蓋嵌合部と着脱自在に嵌合しカートリッジ体を覆う蓋とから構成される化粧品収納容器において、カートリッジ体と袴部材のセット時には内筒部材の係止部は袴部材の底部に形成された内筒部材の係止部がたわむことを阻止するたわみ阻止部を押し下げてたわませてセット可能で、セット後には元に復帰したたわみ阻止部の作用によって内筒部材の係止部のたわみが阻止されることを特徴とする化粧品収納容器。
【発明の詳細な説明】
【技術分野】
【０００１】
本発明は、口紅などの繰出し式化粧品収納容器に関するものである。
【背景技術】
【０００２】
従来の口紅などの繰出し式化粧品収納容器は筒状の外筒部材、この外筒部材に回転可能ではあるが抜け出し不能に係止され外筒部材の下端部より係止部が形成された下筒が突出する内筒部材、この外筒部材と内筒部材を回動させることによって収納された口紅などの棒状化粧品を外筒部材の上端部より出没可能な繰出し機構より構成されるカートリッジ体と、上部に蓋嵌合部が形成され内部にカートリッジ体の係止部を係止する袴部材と、前記袴部材の蓋嵌合部と着脱自在に嵌合しカートリッジ体を覆う蓋と、から構成されていた。
【０００３】
しかし、このように構成された従来の化粧品収納容器は容器を組み立てる際にカートリッジ体と袴部材のセット加重を軽めに設定すれば組立はしやすいが分解という事故を起こしやすく、また分解に強い設定にすればセット荷重が大きくなって組み立てづらくなるという欠点があった。
【０００４】
この改善策として、実開昭６２−１１２５２１号公報もあるが、この考案であっても本発明に示すような効果は得られない。
【特許文献１】実開昭６２−１１２５２１号公報
【発明の開示】
【発明が解決しようとする課題】
【０００５】
本発明は以上のような従来の欠点に鑑み、カートリッジ体と袴部材のセット加重が軽めに設定されていても分解という事故を起こしにくい化粧品収納容器を提供することを目的としている。
【０００６】
本発明の前記ならびにそのほかの目的と新規な特徴は次の説明を添付図面と照らし合わせて読むと、より完全に明らかになるであろう。ただし、図面はもっぱら解説のためのものであって、本発明の範囲を限定するものではない。
【課題を解決するための手段】
【０００７】
上記課題を解決するため、本発明は、カートリッジ体と袴部材のセット加重が軽めに設定されていても分解という事故を起こしにくい化粧品収納容器とするため、カートリッジ体と袴部材のセット時には内筒部材の係止部は  袴部材の底部に形成された内筒部材の係止部がたわむことを阻止するたわみ阻止部を押し下げてたわませてセット可能で、セット後にはたわみ阻止部が元に復帰し、たわみ阻止部の作用によって内筒部材の係止部のたわみが阻止されることを最も主要な特徴とする。
【発明の効果】
【０００８】
本発明は以上説明したように構成されているので、以下に記載されるような効果を奏する。
【０００９】
容器を組み立てる際にカートリッジ体と袴部材のセット加重を軽めに設定すれば分解という事故を起こしやすく、また分解に強い設定にすればセット荷重が大きくなって組み立てづらいということがなく、軽いセット加重でありながら分解しないような強固な分解加重を得ることができる。
【発明を実施するための最良の形態】
【００１０】
軽いセット加重でありながら分解しないような強固な分解加重を得るという目的を、カートリッジ体と袴部材のセット時には内筒部材の係止部は  袴部材の底部に形成された内筒部材の係止部がたわむことを阻止するたわみ阻止部を押し下げてたわませてセット可能で、セット後にはたわみ阻止部の作用によって内筒部材の係止部のたわみが阻止されるという構造で実現した。
【実施例１】
【００１１】
以下、図面に示す実施例により本発明を詳細に説明する。
図１ないし図５に示す発明の第１の実施例において、１は外筒部材で、この外筒部材１内には口紅などの化粧品２が収納されている。
【００１２】
３は内筒部材で、この内筒部材３は前記外筒部材１に巻きしめなどによって回動可能ではあるが抜け出し不能に係止されていて、その下部は外筒部材１の下方に突出し、その突出した部位に係止片４が形成された係止部５として形成されている。
【００１３】
さらにこの係止部５の係止片４はそれ自体ではたわみ可能なように形成されているもので、図の説明では係止片４の両側にスリット６を形成してたわみ可能としたものについて説明している。
【００１４】
７は繰出し機構で、この繰出し機構７は多種な方法が発明されているが外筒部材１と内筒部材３を回動させることによって収納された化粧品２を外筒部材１より出没させることのできるものであれば何でも良く、図の説明では化粧品２を保持した皿部材８、この皿部材８の下部に垂下されたおねじが形成されたネジ棒９、このネジ棒９と螺合する内筒部材３内に形成されたメネジ１０、皿部材８の側面に形成された系合ピン１１、この系合ピン１１と系合する外筒部材１内面に形成された縦溝１２によって構成されるものについて説明している。
【００１５】
１３は前記の外筒部材１、内筒部材３、繰出し機構７より構成されるカートリッジ体である。
【００１６】
１４は上部に蓋嵌合部１５が形成され内部に前記カートリッジ体１３が挿入固定される袴部材で、この袴部材１４はカートリッジ体１３の内筒部材３の係止部５を係止できるように内面に係止部５の係止片４を係止する係止突片１６が形成されている。
【００１７】
１７は袴部材の底部に形成されたたわみ阻止部で、このたわみ阻止部１７はカートリッジ体１３が袴部材１４に挿入された後には内筒部材３の内部に位置し係止部５の係止片４が内側方向にたわむことを阻止している。
【００１８】
さらにこのたわみ阻止部１７はそれ自体が下方にたわむことができ、図２に示すようにカートリッジ体１３を袴部材１４へ挿入する際には内筒部材３の係止部５の下端によって押し下げられることにより下方にたわみ、係止部５の係止片４が袴部材１４の係止突片１６によって係止される位置までカートリッジ体１３が挿入されると元の状態に復帰し、係止片４が内側方向にたわむことを阻止出来るようになるものである。
【００１９】
１８及び１９は、それぞれカートリッジ体１３と袴部材１４の回転止め、及び係止片４と係止突片１６の向き合わせを行う内筒部材３に形成された凹溝１８と袴部材１４に形成された凸リブ１９で、このような回転止め、向き合わせの機構を盛り込んでおくとより効果的である。
【００２０】
２０は前記袴部材１４の蓋嵌合部１５と着脱自在に嵌合する蓋である。
【００２１】
このように構成された化粧品収納容器２１はカートリッジ体１３と袴部材１４のセット時には内筒部材３の係止部５は袴部材１３の底部に形成された内筒部材３の係止部５がたわむことを阻止するたわみ阻止部１７を押し下げてたわませてセット可能とし、セット後にはたわみ阻止部１７が元に復帰し、たわみ阻止部の作用により内筒部材３の係止部５のたわみが阻止され分解してしまうことがなくなる。
【産業上の利用可能性】
【００２２】
簡単な構造で実施することができ、わずかな設計変更によって、他の化粧品収納容器にも適用できる。
【図面の簡単な説明】
【００２３】
【図１】発明の断面図である。（実施例１）
【図２】発明のカートリッジ体をセットするときの断面説明図である。（実施例１）
【図３】発明のカートリッジ体の斜視図である。（実施例１）
【図４】発明の袴部材の断面斜視図である。（実施例１）
【図５】発明のカートリッジ体と袴部材の説明図である。（実施例１）
【符号の説明】
【００２４】
１    外筒部材
２    化粧品
３    内筒部材
４    係止片
５    係止部
６    スリット
７    繰出し機構
８    皿部材
９    ネジ棒
１０    メネジ
１１    系合ピン
１２    縦溝
１３    カートリッジ体
１４    袴部材
１５    蓋嵌合部
１６    係止突片
１７    たわみ阻止部
１８    凹溝
１９    凸リブ
２０    蓋
２１    化粧品収納容器
【図１】
2009056195.tif 000003
【図２】
2009056195.tif 000004
【図３】
2009056195.tif 000005
【図４】
2009056195.tif 000006
【図５】
2009056195.tif 000007